(57)【要約】      （修正有）【課題】車椅子の後車輪に医療用品を安定に積載可能で、安全性の向上を図る。【解決手段】車椅子の後車輪の支持ロッドから延設された延長ロッドに組み付けられる車椅子用補助積載装置であって、内フレームと、外フレームと、弾性規制具と、収容枠と、固定ロッドと、を含む。【選択図】図１
0003136982.tif 000002
【実用新案登録請求の範囲】
【請求項１】
車椅子の後車輪の支持ロッドから延設された延長ロッドに組み付けられ、内フレームと、外フレームと、弾性規制具と、収容枠と、固定ロッドと、を含む車椅子用補助積載装置において、
前記内フレームは、プレートフォームを有し、一側には前記プレートフォームから突出した嵌合管が設けてあり、前記嵌合管が前記車椅子の延長ロッドに嵌めて設けられ、前記プレートフォームの下には位置決めピンが設けてあり、
前記外フレームは、前記内フレームと嵌合し、プレートフォームを有し、一側には前記プレートフォームから突出した嵌合管が設けてあり、前記嵌合管が前記車椅子の延長ロッドに嵌めて設けられ、そして前記プレートフォームの下には位置決めピンが設けてあり、
前記弾性規制具は、その一端が前記内フレームの位置決めピンに連接され、他端が前記外フレームの位置決めピンに連接され、
酸素ボンベを固定するための枠体である前記収容枠は、前記外フレームのプレートフォームの上で設置され、前記枠体の両側には車椅子の支持ロッドに固定可能な弾性係止具がそれぞれ設けてあり、
静脈注射用支持枠を固定するためのロッドである前記固定ロッドは、前記外フレームのプレートフォームの上に設けられることを特徴とする、
車椅子用補助積載装置。
【請求項２】
前記弾性規制具がバネであることを特徴とする、請求項１に記載の車椅子用補助積載装置。
【請求項３】
前記弾性規制具が弾性バンドであり、前記弾性バンドの先端には車椅子の支持ロッドに固着するためのフックが設けてあることを特徴とする、請求項１に記載の車椅子用補助積載装置。
【考案の詳細な説明】
【技術分野】
【０００１】
本考案は、車椅子用補助積載装置に係り、特に、車椅子の後車輪に医療用品を安定して積載が可能であり、安全性が極めて高い車椅子用補助積載装置に関するものである。
【背景技術】
【０００２】
現在、患者の入院治療、または自宅療養をして病気を治すために、酸素ボンベと、栄養補給剤や薬剤等を静脈注射するための支持枠とが使用されるが、酸素ボンベを車椅子の適当な箇所にロープ等で固定することが一般的に行なわれている。
また静脈注射用の支持枠は、看護者または患者に持たせて車椅子と一緒に移動したり、又はロープ等で車椅子の適当な箇所に固定している。
しかしながら、これらの方法は安全で永久的な方法ではない。
例えば酸素ボンベの固定が不適当であると、酸素ボンベが車椅子から落下して使用不能になったり、最悪は爆発する可能性がある。
さらに、酸素ボンベを車椅子の一側に片寄った状態で固定すると、車椅子が傾斜気味になって運転がし難しくなり、更に、車椅子の使用寿命が短くなるといった虞がある。
【０００３】
上記の欠点を解決するための酸素ボンベ積載装置が提案されている。
この酸素ボンベ積載装置は、車椅子に脱着自在に組み付けられる積載台を含み、前記積載台は、第一部材と、第一の方向に摺動して前記第一部材と嵌合する第二部材と、を含み、前記第一部材と前記第二部材との第一の方向での嵌合深さを調整することにより、前記積載台の第一の方向での幅を自在に調整可能であり、且つ前記第一部材は、第一結合部と、第一締付子とを有し、前記第二部材は、第二結合部と、第二締付子とを有し、これにより、前記車椅子に前記積載台を固定可能であり、前記積載台の上で設けられた支持枠は、少なくとも一つの酸素ボンベを積載可能である。
【考案の開示】
【考案が解決しようとする課題】
【０００４】
前記した酸素ボンベ積載装置には次のような欠点があった。
（１）車椅子に第一部材と第二部材とを組付けることが必要であり、なお、第一部材と第二部材とは、嵌合方式で結合するが、何時も互いに離脱してバラバラになる可能性があり、組付作業が容易ではない。
【０００５】
（２）車椅子に第一部材と第二部材とを組付けた後に、締付子にてこれらを固定することが必要であり、だから、組付作業は極めて面倒である。
【０００６】
（３）酸素ボンベだけを積載可能であり、静脈注射が必要である患者の場合には、看護者または患者自身で用静脈注射支持枠を持ちながら車椅子を移動することが必要であり、使用が極めて不便である。
【０００７】
（４）組み付けられた積載台は車椅子の背当に近づけすぎるので、車椅子に座っている患者の背部は酸素ボンベなどに接触するので、不快感が生じる。
【課題を解決するための手段】
【０００８】
本考案は上記したいくつかの欠点を解決するためになされたものである。
本願に係る第１考案は、主に、車椅子の後車輪の支持ロッドから延設された延長ロッドに組み付けられ、内フレームと、外フレームと、弾性規制具と、収容枠と、固定ロッドと、を含む車椅子用補助積載装置において、前記内フレームは、プレートフォームを有し、一側には前記プレートフォームから突出した嵌合管が設けてあり、前記嵌合管が前記車椅子の延長ロッドに嵌めて設けられ、そして前記プレートフォームの下では位置決めピンが設けてあり、前記外フレームは、前記内フレームと嵌合し、プレートフォームを有し、一側には前記プレートフォームから突出した嵌合管が設けてあり、前記嵌合管が前記車椅子の延長ロッドに嵌めて設けられ、そして前記プレートフォームの下では位置決めピンが設けてあり、前記弾性規制具は、一端が前記内フレームの位置決めピンに連接され、他端が前記外フレームの位置決めピンに連接され、前記収容枠は、酸素ボンベを固定するための枠体であり、前記外フレームのプレートフォームの上で設置され、前記枠体の両側には車椅子の支持ロッドに固定可能な弾性係止具がそれぞれ設けてあり、前記固定ロッドは、静脈注射用支持枠を固定するためのロッドであり、前記外フレームのプレートフォームの上で設けられることを特徴とする車椅子用補助積載装置であることを要旨としている。
【０００９】
本願の第２考案は、前記弾性規制具はバネであることを特徴とする前記第１考案に記載の車椅子用補助積載装置であることを要旨としている。
【００１０】
本願の第３考案では、前記弾性規制具は弾性バンドであり、前記弾性バンドの先端には車椅子の支持ロッドに固着するためのフックが設けてあることを特徴とする前記第１考案に記載の車椅子用補助積載装置であることを要旨としている。
【考案の効果】
【００１１】
本考案に係る車椅子用補助積載装置によれば次のような効果がある。
（１）本考案の積載装置は、外フレームのプレートフォームの上で、酸素ボンベを収容するための収容枠と、静脈注射用支持枠を固定するための固定ロッドとが設けてある。
そのため、車椅子は、患者を乗せる機能を持つと共に、酸素ボンベと静脈注射用支持枠とを積載することにより患者を医療する機能もある。
【００１２】
（２）内外フレームのプレートフォームの下に弾性規制具が設けてあり、弾性規制具により内外フレームが連結され、従来のもののように、内外フレームが別々に締付けられることによって組付作業が極めて面倒であることは全くなくなる。
さらに弾性規制具により積載装置の幅は調整可能であるので、積載装置を異なる寸法の車椅子に組付けて使用することが可能である。
【００１３】
（３）弾性規制具により、本考案の積載装置の内外フレームが車椅子に安定して固定される。
したがって、締付子が一切必要なくなる。
すなわち、内外フレームの嵌合管を延長ロッドに嵌合すると、本考案の積載装置が位置決めされるため、組付作業が極めて容易である。
【００１４】
（４）収容枠の弾性係止具が支持ロッドに連結され、そして弾性規制具の弾力により内外フレームの嵌合管が延長ロッドを緊迫するので、本考案の積載装置が車椅子に安定して固定される。
また、本考案の積載装置の上で酸素ボンベなどが積載しなくても、本考案の積載装置は依然として車椅子に安定して固定される。
【００１５】
（５）内外フレームの嵌合管がプレートフォームの端縁から外側に突出し、且つ嵌合管が車椅子の延長ロッドに嵌合されるので、プレートフォームは車椅子の背当から適当に離間し、且つ収容枠も車椅子の背当から適当に離間するため、車椅子に座っている患者の背部は酸素ボンベなどに当らなくなり、座り心地が良くなる。
【考案を実施するための最良の形態】
【００１６】
以下、添付図面を参照して本考案の好適な実施の形態を詳細に説明する。
【００１７】
まず、図１と図２を参照する。本考案の車椅子用補助積載装置は、主に、車椅子Ｂの後車輪の支持ロッドＢ１から延設された延長ロッドＢ２に組み付けられ、内フレーム１と、外フレーム２と、弾性規制具３と、収容枠４と、固定ロッド５と、を含む。
【００１８】
前記内フレーム１は、プレートフォーム１１を有し、一側には前記プレートフォーム１１から突出した嵌合管１２が設けてあり、前記嵌合管１２が前記車椅子Ｂの延長ロッドＢ２に嵌めて設けられ、そして前記プレートフォーム１１の下では位置決めピン１３が設けてある。
【００１９】
前記外フレーム２は、前記内フレーム１と嵌合し、プレートフォーム２１を有し、一側には前記プレートフォーム１２から突出した嵌合管２２が設けてあり、前記嵌合管２２が前記車椅子Ｂの延長ロッドＢ２に嵌めて設けられ、そして前記プレートフォーム２１の下では位置決めピン２３が設けてある。
【００２０】
前記弾性規制具３は、本実施例ではバネであり、一端が前記内フレーム１の位置決めピン１３に連接され、他端が前記外フレーム２の位置決めピン２３に連接される。
【００２１】
前記収容枠４は、酸素ボンベ６を固定するための枠体であり、前記外フレーム２のプレートフォーム２１の上で設置され、前記枠体の両側には車椅子Ｂの支持ロッドＢ１に固定可能な弾性係止具４１がそれぞれ設けてあり、本実施例では、前記弾性係止具４１は弾性バンドであり、そして弾性バンドの先端にフックが設けてある。
【００２２】
前記固定ロッド５は、静脈注射用支持枠７を固定するためのロッドであり、前記外フレーム２のプレートフォーム２１の上で設けられる。
【００２３】
次に、図２乃至図４を参照しながら本考案の車椅子用補助積載装置の組付方法を詳細に説明する。
まず、外フレーム２に内フレーム１を嵌合する。内フレーム１のプレートフォーム１１の下面にある位置決めピン１３に弾性規制具３の一端を連結して、外フレーム２のプレートフォーム２１の下面にある位置決めピン２３に弾性規制具３の他端を連結する。内外フレーム１，２を両側に引っ張って、車椅子Ｂの両側の延長ロッドＢ２に嵌合管１２，２２をそれぞれ嵌め込むと、弾性規制具３の弾力により内外フレーム１，２は内側への回復力を受ける。
したがって、嵌合管１２，２２が延長ロッドＢ２を緊迫して本考案の車椅子用補助積載装置が車椅子Ｂに安定して固定される。
また、内外フレーム１，２の嵌合管１２，２２がプレートフォーム１１，２１の端縁から外側に突出し、且つ嵌合管１２，２２が車椅子の延長ロッドＢ２に嵌合されるので、プレートフォーム１１，２１は車椅子Ｂの背当から適当に離間し、且つ収容枠４も車椅子Ｂの背当から適当に離間するため、車椅子Ｂに座っている患者の背部は酸素ボンベ６などに当らなくなり、座り心地が良くなる。
【００２４】
また、図５を参照する。次に、外フレーム２の上で設けられる収容枠４の両側の弾性係止具４１を車椅子Ｂの両側の支持ロッドＢ１にそれぞれ連結すると、積載装置Ａは弾性規制具３と弾性係止具４１とに固定されるようになる。
【００２５】
本考案の車椅子用補助積載装置の使用方法は、患者の状況によって、収容枠４内に酸素ボンベ６を設置する。
そして固定ロッド５に静脈注射用支持枠７を固定する。
また、外フレーム２の上で設けられる収容枠４の両側の弾性係止具４１が車椅子Ｂの両側の支持ロッドＢ１にそれぞれ連結される。
そして弾性規制具３の弾力により内外フレーム１，２の嵌合管１２，２２が延長ロッドＢ２を緊迫するので、本考案の車椅子用補助積載装置は車椅子に安定に固定可能である。
【図面の簡単な説明】
【００２６】
【図１】本考案に係る車椅子用補助積載装置の分解斜視図である。
【図２】本考案に係る車椅子用補助積載装置の分解斜視図である。
【図３】本考案に係る車椅子用補助積載装置の組合状態の断面図である。
【図４】本考案に係る車椅子用補助積載装置の下面概略図である。
【図５】本考案に係る車椅子用補助積載装置の側面概略図である。
【符号の説明】
【００２７】
１        内フレーム
２        外フレーム
３        弾性規制具
４        収容枠
５        固定ロッド
６        酸素ボンベ
７        静脈注射用支持枠
１１      プレートフォーム
１２      嵌合管
１３      位置決めピン
２１      プレートフォーム
２２      嵌合管
２３      位置決めピン
４１      係止具
Ａ        積載装置
Ｂ        車椅子
Ｂ１      支持ロッド
Ｂ２      延長ロッド
【図１】
0003136982.tif 000003
【図２】
0003136982.tif 000004
【図３】
0003136982.tif 000005
【図４】
0003136982.tif 000006
【図５】
0003136982.tif 000007